(57)【特許請求の範囲】
【請求項１】
記録媒体を着脱するために本体筺体に対して前側もしくは後側に開閉可能な蓋部材を有し、該本体筐体を把持するために支持される把持補助部材の支持部を、前記本体筐体に対して前側と後側の両端に付設したデータ書込み読取り装置であって、
前記蓋部材を開く操作に連動して、前記把持補助部材の支持部のうち前記蓋部材が開く側の支持部を回転自由にして前記把持補助部材と前記本体筐体のロック状態を解除し、
前記ロック状態の解除後、前記蓋部材が開く側の前記把持補助部材の支持部が回転することで、前記蓋部材の開き移動軌跡外へ退避するように前記把持補助部材を前記本体筐体に対して変位させ、
前記蓋部材を閉じる操作に連動して前記蓋部材が開く側の支持部が元の位置に戻ることで前記把持補助部材と前記本体筐体とが再びロック状態となることを特徴とするデータ書込み読取り装置。
【発明の詳細な説明】
【技術分野】
【０００１】
本発明は、たとえばビデオカメラ等の撮像装置のように、本体筐体を安定して把持できるように設けられた把持補助部材（以下、グリップベルトという）を有するデータ書込み読取り装置に関するものである。
【背景技術】
【０００２】
従来、動画や静止画撮影を行うビデオカメラにおいて、装置の本体筐体を上下に把持して、安定した撮影状態を得るようにした、いわゆる横型のビデオカメラでは、本体筐体を安定して把持するためのグリップベルトを有する。このグリップベルトはたとえば特許文献１に記載されるように、本体筐体の前後部位に固定されていた。また、画像記録媒体として一般的である磁気テープを用いた場合、横型のビデオカメラでは、磁気テープ自体横長である。この場合、本体筐体に対して上下いずれかの方向へ記録媒体カバーを開閉し、磁気テープを出し入れさせることで、合理的な内部構成としていた。
【０００３】
【特許文献１】特開平０６−２２１８８号公報
【特許文献２】特開２０００−１８７９７１号公報
【特許文献３】特開２００５−０６３５３４号公報
【特許文献４】特開２００５−１８４６６８号公報
【発明の開示】
【発明が解決しようとする課題】
【０００４】
しかしながら、従来の横型のビデオカメラの構成ではその内部構成上、本体筐体に対して、前後方向に記録媒体カバーを開閉し、記録媒体を出入れしなければならない場合がある。あるいは記録媒体がディスク（携帯型のビデオカメラで使用される、８ｃｍディスク）の場合、本体筐体の上下方向にディスクの出入れをすると、横型の本体筐体の上下高さが極めて高くなってしまう。本体筐体を上下に把持して、安定した撮影ができなくなってしまう場合、本体筐体の前後に開閉する記録媒体カバー設けて、ディスクの装脱着を行っている。
【０００５】
このときグリップベルトが本体筐体の前後端で固定されているため、記録媒体カバーを本体筐体に対して、前後一方を回転軸として回転させて、記録媒体を装脱着可能な状態まで回転させようとする。すると、記録媒体カバーの開き回転途中で、グリップベルトが交叉してしまう。このような場合、一般的に柔かい素材でできているグリップベルトを無理やり変形させて、記録媒体カバーを必要な開放位置まで回転させていたため、操作性や操作感は必ずしも良好ではなかった。
【０００６】
また、記録媒体としてディスクを使用した装置では、記録媒体カバーを開いて記録媒体を装脱着する際、ディスクにデータを記録しあるいは記録したデータを読み込むために、レーザー照射を行うピックアップ部が露出する。このためディスクを装脱着する使用者が誤って、ピックアップ表面のレンズ部に触れてしまい、それによる汚れによってデータの記録及び読取りエラーを発生させるおそれがある等の問題もあった。
更に特許文献２〜４においても、この種の装置における記録媒体カバーまわりの具体的構成が開示されている。
【０００７】
本発明はかかる実情に鑑み、操作・使用性等に優れるとともに、データ読取り部等を有効に保護するデータ書込み読取り装置を提供することを目的とする。
【課題を解決するための手段】
【０００８】
本発明によるデータ書込み読取り装置は、記録媒体を着脱するために本体筺体に対して前側もしくは後側に開閉可能な蓋部材を有し、該本体筐体を把持するために支持される把持補助部材の支持部を、前記本体筐体に対して前側と後側の両端に付設したデータ書込み読取り装置であって、前記蓋部材を開く操作に連動して、前記把持補助部材の支持部のうち前記蓋部材が開く側の支持部を回転自由にして前記把持補助部材と前記本体筐体のロック状態を解除し、前記ロック状態の解除後、前記蓋部材が開く側の前記把持補助部材の支持部が回転することで、前記蓋部材の開き移動軌跡外へ退避するように前記把持補助部材を前記本体筐体に対して変位させ、前記蓋部材を閉じる操作に連動して前記蓋部材が開く側の支持部が元の位置に戻ることで前記把持補助部材と前記本体筐体とが再びロック状態となることを特徴とする。
【発明の効果】
【００１１】
本発明によれば、装置使用者が映像などのデータを記録時には、本体筐体に対してグリップベルト（把持補助部材）が所定の状態を保って、本体筐体を把持した手を甲側から補助し、これにより安定した把持を実現する。特に記憶媒体の交換時などには、グリップベルトを本体筐体に対して自由に移動可能、あるいは本体筐体の記録媒体収納カバー（蓋部材）の開き移動軌跡外に退避させ、記憶媒体の交換操作を行い易くすることが可能となる。
また、記録媒体として、ディスクを使用する場合、ピックアップ部に誤って触れてしまう等の事故も防ぐことが可能となる。
【発明を実施するための最良の形態】
【００１２】
以下、図面に基づき、本発明によるデータ書込み読取り装置における好適な実施の形態を説明する。
（第１の実施形態）
図１〜図７は本発明の第１の実施形態を示す図であり、この実施形態ではビデオカメラの例とする。図１は本体筐体に前後２箇所で支持されたグリップベルトの前方支持部が回転移動可能になった状態の主要部分を示す斜視図である。図２は使用者による映像などのデータ記録時にグリップベルトが本体筐体に対して所定の状態で固定された状態の主要部分を示す斜視図、図３はビデオカメラ全体を前方から見た斜視図である。図４はビデオカメラ全体を後方から見た斜視図、図５はディスク交換時にディスクカバーを開放状態にしたビデオカメラ全体を示す斜視図である。また、図６はディスクカバーとグリップベルトのロック状態を示す平面図、図７はディスクカバーとグリップベルトのロック解除状態を示す平面図である。
【００１３】
図中、１は本体筐体、２はグリップベルトであり、グリップベルト２は本体筐体１の前部と後部の２ヶ所で、本体筐体１に支持されている。３は記録媒体としてのディスクを装脱着するときに開かれるディスクカバー、４はディスクを装着・回転し、データの記録し又は読み出すディスク駆動機構部である。ディスク駆動機構部４にはディスクを装着して回転させるスピンドルモータ５や、ディスクにデータの書込み、読出しを行うレーザー発光部を有するピックアップユニット６が含まれる。また、ピックアップユニット６のレーザー発光部であるピックアップレンズ７、ピックアップユニット６を図中水平方向に走行させる駆動モータ８などが含まれている。ピックアップユニット６はデータ書込み読取り部として、ピックアップレンズ７を介して記録媒体に対してデータを記録し及び読み出す機能を有する。
【００１４】
９は本体筐体１の内部で本体側に固定されたロックベース１０に上下方向のみ摺動可能に保持されているロックレバー、１１，１２は固定ピンであり、ロックレバー９をロックベース１０に対して２ヶ所で挟み込むようにロックベース１０にカシメ固定されている。１３はロック保持レバーであり、固定ピン１１に回転可能に係止されている。ロックレバー９との間にロックレバー戻しバネ１４がかけられており、ロックレバー戻しバネ１４の弾力によってロックレバー９が下方移動方向に付勢されると同時に、固定ピン１１を回転中心として反時計回転方向に付勢している。ロック保持レバー１３の先端曲げ部１５は、ロックレバー９が上方へ移動したときロックレバー９の段部１６に落ち込むことで、ロックレバー戻しバネ１４によるロックレバー９の下方への移動を規制することができる。
【００１５】
１７はモータの回転出力軸に連結されたロックレバー駆動板である。このロックレバー駆動板１７にはロックレバー９の凸部１８に係合して該ロックレバー９を、ロックレバー戻しバネ１４の戻し力に逆らって図中、上方へ移動させる駆動ピン１９が植設されている。２０，２１はディスクカバー３の内側に固定され、ロックレバー９の連結ピン２２，２３に係合して、ディスクカバー３を閉じた状態で保持する係合爪である。ロックレバー駆動板１７によってロックレバー９が上方へ移動し、連結ピン２２，２３が係合爪２０，２１に対して離れた状態で、ディスクカバー３が開き可能となる。
【００１６】
２４はロックレバー９の一端に設けられたラックギアであり、グリップベルト前方支持軸２５の本体筐体１内部に設けられたギア（ギア形状は図示せず）に噛み合うことができる。２６はグリップベルト後方支持軸であり、本体筐体１に固定されている。２７は本体筐体１に設けられたディスクカバー３を開くためのディスクカバー開き操作部、２８はビデオカメラの電源オフと電源オン状態での撮影、再生を切り換えるスイッチ、２９は撮影レンズである。また、３０は撮影中の画像を確認するファインダー部、３１はビデオカメラを作動させるための電池、３２はスピンドルモータ５に装着されたディスクである。
【００１７】
上記の場合、本体筐体１のたとえば側面部（ディスクカバー３とは反対側の部位）等において、ディスク３２から読み取ったデータを再生表示するモニタ画面を備えた表示手段を設けることができる。スイッチ２８の切換え操作によりこの表示手段をオンさせ、そのモニタ画面にて適宜再生画像を観察することができる。
【００１８】
上記構成において、図３及び図４に示すようにディスクカバー３を閉じた状態では、グリップベルト２はディスクカバー３の下部側方付近に張り出すように配置され、ディスクカバー３との間には手を挿入し得るに十分な間隙が確保される。ビデオカメラ使用者は本体筐体１とグリップベルト２の間に形成される空間に右手を挿入し、本体筐体１を上下に把持する。そして、不図示のグリップベルト長さ調整を行うことによって、グリップベルト２がビデオカメラ使用者の手の甲側から隙間無く支えるため、ビデオカメラ使用者は本体筐体１を安定して保持することができる。
【００１９】
一方、使用者がディスク３２を交換し、あるいはディスク３２を外す場合、本体筐体１とグリップベルト２の間から、本体筐体１を把持していた手を抜き、ディスクカバー開き操作部２７（図４参照）を操作する。これにより図２及び図７のようにディスクカバー３及びグリップベルト２がロックされた状態で、図示しない制御回路によりロックレバー駆動板１７に連結されたモータに通電される。そして該モータを回転させ、ロックレバー駆動板１７を図２あるいは図７において時計方向に回転させる。すると、ロックレバー駆動板１７上に設けられた駆動ピン１９がロックレバー９の凸部１８と係合し、ロックレバー戻しバネ１４の戻し力に逆らって、ロックレバー９を上方に押し上げる。
【００２０】
ロックレバー９が上方へ移動すると、連結ピン２２，２３が係合爪２０，２１の係合範囲から外れるとともに、ロック保持レバー１３の先端曲げ部１５がロックレバー戻しバネ１４から得られる回転力によってロックレバー９の段部１６に落ち込む。このようにロック保持レバー１３の先端曲げ部１５がロックレバー９の段部１６と係合することにより、ロックレバー９の下方移動が規制される。そして、ロックレバー９の連結ピン２２，２３と係合爪２０，２１が離れた状態で、ロックレバー９はロック保持レバー１３によって保持され、これによりディスクカバー３が開き可能状態で保持される。
【００２１】
同時に、ロックレバー９の一端に設けられたラックギア２４も、上方へ移動した位置で保持され、グリップベルト前方支持軸２５のギアとの噛合いが外れた状態となり、グリップベルト前方支持軸２５は本体筐体１に対して回転自由となる。そして、グリップベルト２のグリップベルト前方支持軸２５を回転させることで、グリップベルト２を本体筐体１に対して変位、すなわち下方へ退避させる。これによりディスクカバー３はグリップベルト２に邪魔されることなく適正に開き方向へ回転することができ、図１、図５及び図６の状態となる。図５等のようにディスクカバー３が本体筐体１から展開することで、使用者はスムースにディスク３２を交換あるいは外すことができる。
【００２２】
ロックレバー駆動板１７は、ロックレバー９がロック保持レバー１３によって保持された後も、さらに回転を続ける。そして、駆動ピン１９がロックレバー９の凸部１８から抜け出した時点で、不図示の回転位置検出スイッチの検出信号により、モータへの通電が停止され停止する。
【００２３】
ビデオカメラ使用者は、ディスク３２の装脱着が終了して、開き状態となったディスクカバー３を閉じる。すると、ディスクカバー３の凸部３４がロック保持レバー１３の解除部３５を押すことによって、ロック保持レバー１３は、ロックレバー戻しバネ１４の回転力に逆らって、時計方向に回転させられる。ロック保持レバー１３の先端曲げ部１５が、ロックレバー９の段部１６から離れ、ロックレバー９は、ロックレバー戻しバネ１４の戻し力によって下方に移動する。このロックレバー９の移動途中で、ロックレバー９の一端に設けられたラックギア２４は再び、グリップベルト前方支持軸２５のギアと噛み合う。そして本実施形態における初期状態として、図２及び図７に示すようにディスクカバー３及びグリップベルト２がロックされた状態に戻る。
【００２４】
（第２の実施形態）
次に、本発明のデータ読み取り装置における第２の実施形態を説明する。
図８〜図１２は本発明の第２の実施形態を示す図であり、図８は本体筐体に前後２箇所で支持されたグリップベルトが強制的に変位させられた状態の主要部分を示す斜視図である。図９は第１の実施形態と同様に、使用者による映像などのデータ記録時に、グリップベルトが本体筐体に対して所定の状態で固定された主要部分を示す斜視図である。図１０は第２の実施形態においてディスク交換時にディスクカバーを開放状態にしたビデオカメラ全体を示す斜視図である。図１１はディスクカバーとグリップベルトのロック状態を示す平面図、図１２はディスクカバーのロック解除状態とグリップベルトが強制的に変位させられた状態を示す平面図である。
【００２５】
また、第２の実施形態においてもディスクカバー３を閉じた際のビデオカメラ全体は、図３及び図４に示されるビデオカメラ全体を前方及び後方から見たそれぞれ斜視図と同一である。本実施形態において、これらの図を適宜参照するものとする。なお、図中の符号１〜８、１０〜１５、１７、１９〜２３及び２５〜３２までの構成部品は、第１の実施形態と同様の形状及び構造のため同一符号とする。
【００２６】
さて図中、４０は本体筐体１の内部で本体側に固定されたロックベース１０に上下方向のみ摺動可能に保持されているロックレバーである。１１，１２は固定ピンであり、ロックレバー９をロックベース１０に対して２ヶ所で挟み込みようにロックベース１０にカシメ固定されている。４１はロックレバー４０の一端に設けられたラックギアであり、グリップベルト前方支持軸２５の本体筐体１内部に設けられたギア（ギア形状は図示せず）に常に噛み合っている。４２はロックレバー駆動板１７に設けられたロックピン１９に係合する凸部、４３はロック保持レバー１３の先端曲げ部１５と係合する段部である。
【００２７】
第２の実施形態において特に、４４はディスクカバー開き状態でピックアップレンズ７を保護する保護部材である。この保護部材４４はディスクカバー３が閉じているときは、ピックアップレンズ７から退避している。４５はグリップベルト前方支持軸２５に固定された支持軸ギアであり、好適にはハスバギアにより構成される。４６は保護部材４４の作動（回転）中心に固定された保護部材ギアであり、典型的には支持軸ギア４５と噛み合うハスバギアにより構成される。
【００２８】
上記構成において、図３及び図４に示すようにディスクカバー３を閉じた状態で、ビデオカメラ使用者は本体筐体１とグリップベルト２の間に形成される空間に右手を挿入し、本体筐体１を上下に把持する。そして、不図示のグリップベルト長さ調整を行うことによって、グリップベルト２がビデオカメラ使用者の手の甲側から隙間無く支えるため、使用者は本体筐体１を安定して保持することができる。
【００２９】
ビデオカメラ使用者がディスク３２を交換し、あるいはディスク３２を外す場合、本体筐体１とグリップベルト２の間から、本体筐体１を把持していた手を抜き、ディスクカバー開き操作部２７を操作する。これにより図９及び図１１のようにディスクカバー３及びグリップベルト２がロックされた状態で、図示しない制御回路によりロックレバー駆動板１７に連結されたモータに通電する。そして該モータを回転させ、ロックレバー駆動板１７を時計方向に回転させる。すると、ロックレバー駆動板１７上に設けられた駆動ピン１９がロックレバー４０の凸部４２と係合し、ロックレバー戻しバネ１４の戻し力に逆らって、ロックレバー４０を上方に押し上げる。
【００３０】
ロックレバー４０が上方へ移動すると、連結ピン２２，２３が係合爪２０，２１の係合範囲から外れるとともに、ロック保持レバー１３の先端曲げ部１５がロックレバー戻しバネ１４から得られる回転力によってロックレバー４０の段部４３に落ち込む。このように両者が係合することによりロックレバー４０の下方移動が規制される。そして、ロックレバー４０の連結ピン２２，２３と係合爪２０，２１が離れた状態で、ロックレバー４０はロック保持レバー１３によって保持され、これによりディスクカバー３が開き可能状態で保持される。
【００３１】
同時に、ロックレバー４０の一端に設けられたラックギア４１も、上方へ移動した位置で保持され、グリップベルト前方支持軸２５のギアを反時計方向へ回転させ、グリップベルト２をディスクカバー３から強制的に退避させる。また、グリップベルト前方支持軸２５の支持軸ギア４５は、ディスクのピックアップレンズ７を保護する保護部材４４の回転中心に設けられた保護部材ギア４６にも同時に噛み合っている。このため保護部材４４はピックアップレンズ７から退避した位置から、ピックアップレンズ７を保護する位置へ回転移動させられる。このときグリップベルト２は、前方で本体筐体１の底面側へ強制的に移動させられた状態となる（図３、図８及び図１２）。
【００３２】
この状態ではグリップベルト前方支持軸２５は、ギア４５がロックレバー４０の一端に設けられたラックギア４１に連結され、ロックレバー４０はその段部４３にロック保持レバー１３先端曲げ部１４が嵌り込んで、上下方向に移動が規制されている。このため自由に回転することができず、ディスクカバー３の開き回転軌跡から退避した位置で保持されている。
【００３３】
ロックレバー駆動板１７はさらに回転を続け、駆動ピン１９がロックレバー４０の凸部４２から抜け出した状態で、不図示の回転位置検出スイッチの検出信号により、モータへの通電が停止され停止する。
【００３４】
ディスク３２の装脱着が終了して、開き状態となったディスクカバー３を閉じる。すると、ディスクカバー３の凸部３４がロック保持レバー１３の解除部３５を押すことによって、ロック保持レバー１３は、ロックレバー戻しバネ１４の回転力に逆らって、時計方向に回転させられる。ロック保持レバー１３の先端曲げ部１５が、ロックレバー４０の段部４３から離れ、ロックレバー４０は、ロックレバー戻しバネ１４の戻し力によって下方に移動する。そして、本実施形態における初期状態として、図３及び図４に示すようにディスクカバー３及びグリップベルト２がロックされ、保護部材４４がピックアップから退避した状態に戻る。
【００３５】
以上説明したように本発明によれば、通常の使用状態では本体筐体１を把持した時、本体筐体１に対して、装置の前方及び後方に固定されたグリップベルト２が、所定の状態を保ち、装置使用者の本体筐体１を把持する手の甲を安定して支えることができる。また、ディスクカバー３の開きを係止する手段の解除に連動し、グリップベルト２の固定部の係合を解除して、グリップベルト２が本体筐体１に対して自由に移動可能とする。あるいは本体筐体１に対して、グリップベルト２の固定部を強制的に変位させ、本体筐体１のディスクカバー３の開き移動軌跡外に退避させるので、記憶媒体の交換操作を行い易くすることが可能となる。
【００３６】
また、グリップベルト２を本体筐体１のディスクカバー３の開き移動軌跡外に退避させるのに連動して、ディスク情報を読み出し、書き込みを行うピックアップユニット６を保護する保護部材４４を、ピックアップレンズ７前方に進入させる。これによりディスクカバー開き状態で、ピックアップ部に誤って触れてしまう事故も防ぐことができる。
【図面の簡単な説明】
【００３７】
【図１】本発明の実施形態におけるグリップベルトが自由に回転移動可能になった状態を示す主要部斜視図である。
【図２】本発明の実施形態における使用者が映像などのデータ記録時にグリップベルトが所定の状態で固定された状態を示す主要部斜視図である。
【図３】本発明の実施形態におけるビデオカメラ全体を前方から見た斜視図である。
【図４】本発明の実施形態におけるビデオカメラ全体を後方から見た斜視図である。
【図５】本発明の実施形態におけるディスク交換時にディスクカバーを開放状態にしたビデオカメラの全体斜視図である。
【図６】本発明の実施形態におけるディスクカバーとグリップベルトのロック解除状態を示す平面図である。
【図７】本発明の実施形態におけるディスクカバーとグリップベルトのロック状態を示す平面図である。
【図８】本発明の第２の実施形態におけるグリップベルトがディスクカバーの開き軌跡から退避した状態を示す主要部分を示す斜視図である。
【図９】本発明の第２の実施形態における使用者が映像などのデータ記録時にグリップベルトが所定の状態で固定された状態を示す主要部斜視図である。
【図１０】本発明の第２の実施形態におけるディスク交換時にディスクカバーを開放状態にしたビデオカメラの全体斜視図である。
【図１１】本発明の第２の実施形態におけるディスクカバーの開き状態を示す平面図である。
【図１２】本発明の第２の実施形態におけるディスクカバーの閉じ状態を示す平面図である。
【符号の説明】
【００３８】
１  本体筐体
２  グリップベルト
３  ディスクカバー
４  ディスク駆動機構部
５  スピンドルモータ
６  ピックアップユニット
７  ピックアップレンズ
８  駆動モータ
９，４０  ロックレバー
１０  ロックベース
１１，１２  固定ピン
１３  ロック保持レバー
１４  ロックレバー戻しバネ
１５  先端曲げ部
１６，４３  段部
１７  ロックレバー駆動板
１８，４２  凸部
１９  駆動ピン
２０，２１  係合爪
２２，２３  連結ピン
２４，４１  ギアラック
２５  グリップベルト前方支持軸
２６  グリップベルト後方支持軸
２７  ディスクカバー開き操作部
２８  スイッチ
２９  撮影レンズ
３０  ファインダー部
３１  電池
３２  ディスク
３３  撮影レンズ
３４  凸部
３５  解除部
４４  保護部材
４５  支持軸ギア
４６  保護部材ギア
【図１】
0004817838.tif 000002
【図２】
0004817838.tif 000003
【図３】
0004817838.tif 000004
【図４】
0004817838.tif 000005
【図５】
0004817838.tif 000006
【図６】
0004817838.tif 000007
【図７】
0004817838.tif 000008
【図８】
0004817838.tif 000009
【図９】
0004817838.tif 000010
【図１０】
0004817838.tif 000011
【図１１】
0004817838.tif 000012
【図１２】
0004817838.tif 000013